(57)【要約】膨らませ時に膨らませ弁用ばねに抗して弁体の弁座から分離させる往復運動する弁軸に装着された膨らませ弁用ガスケットと、過度の内圧が逃し弁用孔を通して逃れうるようにするために逃し弁用ばねの力に抗して弁軸ヘッドから分離する往復運動する押圧ディスクに装着された逃し弁用ガスケットを有する組合せ膨らませおよび逃し弁。
2006513373.tif 000002
【特許請求の範囲】
【請求項１】
往復運動する弁軸と弁軸ヘッドとが作動装着されている弁体を含み、前記弁軸ヘッドが該弁軸ヘッドと前記弁軸の一端に装着されたポペットとの間で弁軸の周りで保持された膨らませ弁用ばねによって前記弁体の膨らませ弁座と密封係合するように弾力的に弾圧された膨らせ弁用ガスケットを含み、前記弁軸ヘッドが更に、押圧ディスクに装着された逃し弁用ガスケットによって密封されている少なくとも１個の逃し弁用孔を含み、前記押圧ディスクが前記弁軸に往復運動可能に結合されて前記逃し弁用ガスケットを逃し弁用ばねによって前記逃し弁用孔との密封係合関係に弾圧することを特徴とする組合せ膨らませおよび逃し弁。
【請求項２】
内側の環状の膨らませ弁用弁座と環状の膨らませ弁用ばね座とを有する全体的に円筒形の弁体と、前記弁体内に位置された往復運動する弁軸ヘッドであって、前記弁軸の周りで同心状に位置され、前記環状の膨らませ弁用ばね座と前記弁軸の膨らませ側の端に固定されたポペット案内装置との間で保持された膨らませ弁用ばねによって前記膨らませ用弁座との密封係合関係となるよう弾圧するために膨らませ弁用ガスケットに同心状に装着されている弁軸ヘッドとを含む膨らませ弁と、
前記弁軸の長さに亘って摺動係合するための中央孔を有する押圧ディスクと、前記押圧ディスクの逃し側に装着され、前記弁軸の周りで同心状に位置され、前記押圧ディスクと前記ポペット案内装置との間で保持された逃し弁用ばねによって前記弁軸ヘッドを貫通して形成された少なくとも１個の逃し用孔と密封整合するように弾圧されている逃し弁用ガスケットとを含む逃し弁とを組み合わせて含むことを特徴とする組合せ膨らませおよび逃し弁。
【請求項３】
前記弁軸と弁軸ヘッドとが一体形成されていることを特徴とする請求項２に記載の組合せ膨らませおよび逃し弁。
【請求項４】
前記膨らませ弁用ガスケットが前記環状の膨らませ弁用座と密封係合するようにする角度付き面を含むことを特徴とする請求項２に記載の組合せ膨らませおよび逃し弁。
【請求項５】
前記逃し弁用ガスケットが前記逃し弁用孔の周りで密封するカップ状のガスケットを含むことを特徴とする請求項２に記載の組合せ膨らませおよび逃し弁。
【請求項６】
前記逃し弁用ガスケットが、前記逃し弁用孔と流体連通し前記弁軸ヘッドに形成された環状のスロットの両側の環状縁部に対して密封するＯ−リング状ガスケットを含むことを特徴とする請求項２に記載の組合せ膨らませおよび逃し弁。
【請求項７】
前記膨らませ弁用ばねと逃し弁用ばねとが、それぞれ前記ポペットの下側案内装置と上側案内装置とによって前記弁軸の周りで整合して同心状に装着されていることを特徴とする請求項２に記載の組合せ膨らませおよび逃し弁。
【請求項８】
前記弁軸ヘッドの下面が前記逃し弁用ばねを同心状に整合させるボスを含むことを特徴とする請求項２に記載の組合せ膨らませおよび逃し弁。
【請求項９】
前記ポペットが前記面を画成する半径方向のタブを含むことを特徴とする請求項８に記載の組合せ膨らませおよび逃し弁。
【請求項１０】
前記ポペットが前記弁軸の端に永続的に固定されることを特徴とする請求項２に記載の組合せ膨らませおよび逃し弁。
【請求項１１】
前記弁軸ヘッドが前記逃し弁用孔無しに製造され、前記押圧ディスク、前記逃し弁用ばねおよび前記逃し弁用ガスケットが組立ての間省かれて、簡単な膨らませ弁を形成することを特徴とする請求項２に記載の組合せ膨らませおよび逃し弁。
【発明の詳細な説明】
【技術分野】
【０００１】
（関連特許出願の相互参照）
本特許出願は、２００２年９月１３日出願された仮出願第６０／４１０，４１１号（ｐｒｏｖｉｓｉｏｎａｌ  ａｐｐｌｉｃａｔｉｏｎ  ｎｕｍｂｅｒ  ６０／４１０，４１１）の権利を請求するもので、参照によってその開示を本明細書に援用する。
【０００２】
本発明は、組合せ膨らませおよび逃し弁（ｃｏｍｂｉｎａｔｉｏｎ  ｉｎｆｌａｔｉｏｎ  ａｎｄ  ｒｅｌｉｅｆ  ｖａｌｖｅ）に関するものである。
【背景技術】
【０００３】
現在、人用の浮遊装置（例えば救命胴衣、浮き輪、蹄鉄形遊具（ｈｏｒｓｅｓｈｏｅｓ））、救命いかだ、浮標、および緊急信号発信装置のような物品を膨らませるための多数のタイプの弁が存在している。また、前もってセットされたクラッキング圧力（ｃｒａｃｋｉｎｇ  ｐｒｅｓｓｕｒｅ）を内圧が上回ると、膨らんだ物品の空気抜きができるようにする多くのタイプの逃し弁も存在している。
【０００４】
衣料業界においては、空気通路が膨らまされると、より大きな断熱特性が達成されるように、衣料内に空気通路網を組み込むことによって衣料の断熱性を向上させることが提案されてきた。現在のこの種膨らませ可能な衣料は空気通路と流体連通して接続された膨らませチューブに装着されている膨らませ弁を利用している。膨らませ弁／膨らませチューブは当該衣料の着用者が膨らませ弁を口につけ、膨らませ弁／チューブを通して衣料の空気通路中へ空気を圧送することによって衣料を容易に膨らせることができるように衣料の肩部分に近接して位置されている。また、空気通路と流体連通して接続されている空気抜きチューブに装着された逃し弁も設けられている。逃し弁は典型的に、該逃し弁を通して衣料の内部空気室から所望量の空気、あるいは全ての空気が圧出されるまで当該衣料を単に丸め、かつ絞ることができるように比較的低いクラッキング圧力にプリセットされている。
【発明の開示】
【発明が解決しようとする課題】
【０００５】
従って、本発明の目的は、従来技術による装置の前述の不備を克服して、膨らませおよび逃し弁技術の進歩に顕著に貢献する改良を提供することである。
【０００６】
本発明の別の目的は単一の弁を通して物品の膨らませ、および凹ませを可能とすることによって、個別の膨らませ弁／チューブと逃し弁／チューブの必要性を排除する、組合せ膨らませおよび逃し弁を提供することである。
【０００７】
前記の説明は本発明に関わる目的のあるものを概略述べたものである。これらの目的は本発明の所期の顕著な特徴と適用のあるものを単に例示する意図のものと解釈すべきである。開示した本発明を種々の要領で適用したり、あるいは本発明の開示の範囲内で本発明を修正したりすることによってその他の多くの有利な結果を達成することが出来る。従って、本発明の要約および添付図面と関連して特許請求の範囲によって定義される本発明の範囲の他に好適実施例の詳細説明を参照することによって本発明のその他の目的および本発明のより完全な理解を行うことができる。
【課題を解決するための手段】
【０００８】
本発明を要約すると、本発明は組合せ膨らませおよび逃し弁（ｃｏｍｂｉｎａｔｉｏｎ  ｉｎｆｌａｔｉｏｎ  ａｎｄ  ｒｅｌｉｅｆ  ｖａｌｖｅ）を含む。
【０００９】
二方弁は膨らませ弁と逃がし弁との双方二重の働きをする。膨らませの間、空気は特定のクラッキング圧力に達すると、戻りのない端（ｕｎｂａｒｂｅｄ  ｅｎｄ）を通して入ることができる。この状態が発生すると、弁軸ヘッド（ｓｔｅｍ  ｈｅａｄ）の膨らませ弁用ガスケット（ｉｎｆｌａｔｉｏｎ  ｇａｓｋｅｔ）が弁体から分離され、膨らませ弁用ばね（ｉｎｆｌａｔｉｏｎ  ｓｐｒｉｎｇ）を圧縮させる。こうすれば、空気は弁体を通して流れることができる。膨らませ圧力がクラッキング圧力以下に低下した後、ガスケットと弁軸ヘッドとはそれらの元の位置まで戻り、ガスケットと弁体との間でシールを形成する。
【００１０】
弁の逃し端における内部空気圧が特定のクラッキング圧力に達すると、弁の逃し機能が開始する。これが逃し弁用ガスケットを押圧し、ディスクを弁軸へッドから分離させ、弁軸上を摺動させる。このことによって逃し弁用ばね（ｒｅｌｉｅｆ  ｓｐｒｉｎｇ）を圧縮し、空気が逃し通気孔を通して流れうるようにする。一旦内圧がクラッキング圧以下に低下すると、逃し弁用ガスケット（ｒｅｌｉｅｆ  ｇａｓａｋｅｔ）と押圧ディスクとがそれらの原位置まで復帰する。
【００１１】
一実施例において、逃し弁用ガスケットは該ガスケットが円形のパターン化された逃し孔（ｐａｔｔｅｒｎｅｄ  ｒｅｌｉｅｆ  ｈｏｌｅｓ）の外側および内側の双方をシールできるようにするカップ状の設計とされている。別の実施例において、逃し弁用ガスケットは、逃し通気孔と連通して形成されている環状のスロットの環状縁部に対してシールするＯ―リングを含む。
【００１２】
前記の説明は、以下の本発明の詳細説明がより良好に理解され、そのため当該技術分野に対する本発明の貢献がより完全に認識されうるように本発明の適切かつ重要な特徴をかなり概括的に説明した。本発明の特許請求の範囲の主体を形成する本発明の更に別の特徴を以下説明する。当該技術分野の専門家には、ここで開示された概念や特定実施例は本発明の同じ目的を実行するためのその他の構造を修正したり、あるいは設計するための基準として直ちに利用しうることが認識されるべきである。また、当該技術分野の専門家には、そのような同等の構造は特許請求の範囲に記載の本発明の精神と範囲とから逸脱しないことも認識されるべきである。
【００１３】
本発明の本質と目的とをより完全に理解するために、以下の詳細説明を参照する。
【００１４】
数葉の図面を通して、同じ部材は同じ参照記号で指示する。
【発明を実施するための最良の形態】
【００１５】
本発明による膨らませおよび逃がし弁は、内側の環状膨らませ弁用座１４と環状の膨らませ弁用ばね座１６（図８Ａ，図８Ｂおよび図８Ｃを参照）とを有する全体的に筒型の弁体１２からなる。膨らませ弁用ガスケット２０（図１および図２参照）が同心状に装着されている弁軸ヘッド１８（図６Ａ，図６Ｂおよび図６Ｃ参照）が、弁軸２４の周りで同心状に位置され、膨らませ用ばね座１６と弁軸２４の膨らませ側端に固定されているポペット案内装置２６との間で保持されている膨らませ弁用ばね２２によって膨らませ弁座１４と弾力的に密封係合するように弁体の内部で往復運動可能に装着されている。弁１０の膨らませ弁入力（ｉｎｆｌａｔｉｏｎ  ｉｎｐｕｔ）側２８に空気圧を供給することによって膨らませ弁用ばね２２によって加えられる圧力を打ち破って、弁１０が流体的に接続されている物品を膨らませることができるようにする。
【００１６】
弁１０の逃がし弁要素（ｒｅｌｉｅｆ  ｃｏｍｐｏｎｅｎｔｓ）は弁軸２４の長さに亘って摺動係合するための中央孔を有する押圧ディスク３０を含む。逃し弁用ガスケット（ｒｅｌｉｅｒ  ｇａｓｋｅｔ）３２が、同心状で弁軸ヘッド１８を貫通して形成されている複数の逃し弁用孔（ｒｅｌｉｅｆ  ｈｏｌｅｓ）３４と整合して押圧ディスク３０の逃し側に装着されている。逃し弁用ガスケット３２の密封面は同心状の逃し用孔３４の周りで更に十分なシールを提供するようカップ形状３６とすることもできることが注目される。逃し弁用ばね３８が弁軸２４の周りで同心状に位置され、かつ押圧ディスク３０の逃し弁用ガスケット３２を逃し弁用孔３４の周りで密封係合するように常に弾圧するべく押圧ディスク３０とポペット案内装置２６との間で保持されている。ポペット案内装置２６は大径の膨らませ弁用ばね２２と小径の逃し弁用ばね３８との確実な同心状の整合を達成するために段付き形状を含むことが好ましいことに注目すべきである。弁１０が接続されている物品の内部空気圧が、逃し弁用ばね３８によって規定されたプリセットのクラッキング圧力を上回ると逃し弁用ガスケット３２を離座させ、押圧ディスク３０を弁軸２４に沿って摺動させ、当該物品からの内部空気の流れが逃し弁用孔３４を介して逃し弁用ガスケット３２を通り弁体１２から流出しうるようにし、それによって膨らまされた物品の空気圧を逃すことができる。
【００１７】
図９に示すように、本発明による組合せ膨らませおよび逃し弁１０の第２実施例は同様に、膨らませ弁用弁体１２を含み、該弁体においては往復運動する弁軸２４が一体形成され、その膨らませ側の端に結合されているポペット２６を有する往復運動弁軸ヘッド１８が位置されている。
【００１８】
図１１Ａから図１１Ｅまでに最良に示されているように、弁軸ヘッド１８は該弁軸ヘッド１８の長さに亘って延在する複数の半径方向のスロット５２に流体連通し通気開口５４を形成する環状のスロット５０を含む。弁軸ヘッド１８は更に、膨らませ弁用ガスケット２０を受け入れるための環状の外側スロット５６を含む。図９と図１０とに最良に示されているように、膨らませ弁用ガスケット２０の外面は環状に配置され、弁体１２の環状の段１６とポペット２６に形成された下側の環状の段２６Ｌとの間に保持された膨らませ弁用ばね２２によって弾圧されると、弁体１２内に形成された環状の座１４と共にシールを形成する。
【００１９】
図１２Ａから図１２Ｃまでに示すように、ポペット２６は弁軸２４の膨らませ側端に形成された対応する環状のスロット２４Ｓ（図１１Ｂ参照）と永続的に嵌合している環状突起２６Ｐを備えた中央孔２６Ａを有する基部分２６Ｂを含む。前記基部分２６Ｂは更に、４個の均等に離隔された半径方向のタブ２６Ｔを含み、該タブには、膨らませ弁用ばね２２と逃し弁用ばね３８とを同心状に保持するための下側スロット２６Ｌと上側スロット２６Ｕとが各々形成されている。
【００２０】
図１０に示すように、弁１０の膨らませ弁要素は弁軸ヘッド１８および弁軸２４、ポペット２６、膨らませ弁用ばね２２および膨らませ弁用ガスケット２０とからなる。膨らませのためには、外部の空気圧が膨らませ弁用ばね２２の力に抗して弁軸ヘッド１８に対する力を発生させ、矢印５８の方向に膨らませ弁用ガスケット２０と環状座１４との間で形成されたシールを「打ち破って」、すなわち解放させる。外部の空気圧がクラッキング圧以下に一旦下がると、弁１０は矢印５９の方向に閉鎖し、環状座１４において膨らませ弁用ガスケット２０を再度密封する。
【００２１】
本発明による組合せ膨らませおよび逃し弁１０の第二実施例における逃がし弁要素が図１３Ａおよび図１３Ｂに示されている。詳しくは、図１３Ｄおよび図１３Ｅに示されているように、押圧ディスク３０は弁軸２４に沿って摺動係合するための中央の孔３０Ｃと、Ｏリング３２の形態の逃し弁用ガスケット３２を受け入れるための環状くぼみ３０Ｒとを有する全体的に円筒形の設計を備える。押圧ディスク３０の最下方の面は、その周りで逃し弁用ばね３８と同心状に整合する、下方に延在するボス３０Ｂを含む。図１３Ｃに示すように、逃し弁用ばね３８がポペット２６の上側のスロット２６Ｕと押圧ディスク３０のボス３０Ｂとの間で保持されると、矢印６０で示される一定の上方への力がＯ―リング状の逃し弁用ガスケットの上に作用し、それを弁軸ヘッド１８の環状のスロット５０の内部環状縁部に対して常に弾圧して、それと共にダブルシールを提供する（図１３Ａ参照）。
【００２２】
図１３Ａに示すように、逃し弁用ばね３８はＯ―リング状逃し弁用ガスケット３２を矢印６０の方向に環状スロット５０の環状縁部と密封係合するように常に弾圧している。内圧が半径方向スロット５２と環状のスロット５０とによって形成された通気開口５４を介して逃し弁用ガスケット３０に対する力を発生させると、最終的に逃し弁用ばね３８の力を上回り、そのため逃し弁用ガスケット３２と押圧ディスク３０とをばね３８に抗して押圧し、弁軸２４に沿って摺動させ、矢印６１の方向に環状スロット５０の環状縁部から逃し弁用ガスケット３２が離座すると逃し弁を開放し、すなわち「打ち破る（ｃｒａｃｋ）」。一旦内圧がクラッキング圧力以下に減少すると、押圧ディスク３０とガスケット３２とは弁軸２４に沿って矢印６０の方向に移動してそれ自体を環状スロット５０の環状縁部に対して再度密封し、弁を閉鎖する。
【００２３】
弁軸ヘッド１８は、簡単な膨らませ弁を形成するために半径方向のスロット５２や前述の逃し弁要素（押圧ディスク３０、膨らませ弁用ガスケット３２および膨らませ弁用ばね３８）を完全に省いて、それら無しに中実に射出成形してもよいことが注目される。（半径方向のスロット５２を形成するために使用した）挿入ピン無しに１個のモールドを変更することによって中実の弁軸ヘッド１８を成形できるということは、同じモールドおよび（または）要素を組合せ膨らませおよび逃し弁あるいは簡単な膨らませ弁のいずれかを製造するように容易に変換するので本発明の効用を顕著に増大させる。
【００２４】
本開示は特許請求の範囲に包含されているもの、並びに前述した説明に包含されているものを含んでいる。本発明はある程度詳細に好適な形態で説明してきたが、好適な形態の本開示は例示のためにのみに行われたものであり、構造の詳細、部材の組み合わせ、および配置の詳細において、本発明の精神と範囲とから逸脱することなく多数の変更が可能なことが理解される。
【００２５】
以上で本発明を説明した。
【図面の簡単な説明】
【００２６】
【図１】本発明による組合せ膨らませおよび逃し弁についての第一実施例の分解等角図である。
【図２】本発明による膨らませおよび逃し弁の分解側面図である。
【図３】本発明による組み立てられた膨らませおよび逃し弁の長手方向断面図である。
【図４】図３の右側の端面図である。
【図５】図３の左側の端面図である。
【図６Ａ】弁の弁軸ヘッドおよび弁軸構成要素の図面である。
【図６Ｂ】弁の弁軸ヘッドおよび弁軸構成要素の図面である。
【図６Ｃ】弁の弁軸ヘッドおよび弁軸構成要素の図面である。
【図７Ａ】弁の押圧ディスクの構成要素の図面である。
【図７Ｂ】弁の押圧ディスクの構成要素の図面である。
【図７Ｃ】弁の押圧ディスクの構成要素の図面である。
【図７Ｄ】前記ディスクに装着すべき逃し弁用ガスケットの断面図である。
【図８Ａ】弁体の図面である。
【図８Ｂ】弁体の図面である。
【図８Ｃ】弁体の図面である。
【図９】本発明による組合せ膨らませおよび逃し弁の第二実施例の長手方向断面図である。
【図１０】判りやすくするために弁体を除いた、本発明による弁の第二実施例の膨らませ弁要素（ｉｎｆｌａｔｉｏｎ  ｃｏｍｐｏｎｅｎｔｓ）の側面図である。
【図１１Ａ】本発明の第二の実施例による弁軸ヘッドと弁軸との斜視図である。
【図１１Ｂ】本発明の第二の実施例による弁軸ヘッドと弁軸との側面図である。
【図１１Ｃ】本発明の第二の実施例による弁軸ヘッドと弁軸との断面図である。
【図１１Ｄ】本発明の第二の実施例による弁軸ヘッドと弁軸との上面図である。
【図１１Ｅ】本発明の第二の実施例による弁軸ヘッドと弁軸との底面図である。
【図１２Ａ】本発明の第二の実施例によるポペットの側面図である。
【図１２Ｂ】本発明の第二の実施例によるポペットの斜視図である。
【図１２Ｃ】本発明の第二の実施例によるポペットの断面図である。
【図１３Ａ】わかり易くするために弁体を除いた、弁の第二実施例の逃し弁構成要素（ｒｅｌｉｅｆ  ｃｏｍｐｏｎｅｎｔｓ）の側面図である。
【図１３Ｂ】線１３ｂ−１３ｂに沿って見た図１３Ａの断面図である。
【図１３Ｃ】弁軸ヘッドと弁軸とを除いて、押圧ディスク内に位置したＯ−リング状の逃し弁用ガスケットを示す、図１３Ａの側面図である。
【図１３Ｄ】Ｏ−リング状の逃し弁用ガスケットを受け入れるための押圧ディスクの斜視図である。
【図１３Ｅ】周りに逃し弁用ばねが同心状に位置している同心状のスカートを示す押圧ディスクの側面図である。
【図１】
2006513373.tif 000003
【図３】
2006513373.tif 000004
2006513373.tif 000005
2006513373.tif 000006
2006513373.tif 000007
2006513373.tif 000008
【図９】
2006513373.tif 000009
【図１０】
2006513373.tif 000010
2006513373.tif 000011
2006513373.tif 000012
2006513373.tif 000013
2006513373.tif 000014
2006513373.tif 000015
2006513373.tif 000016
2006513373.tif 000017
2006513373.tif 000018
2006513373.tif 000019
2006513373.tif 000020
2006513373.tif 000021
2006513373.tif 000022
【国際調査報告】
2006513373.tif 000023